(57)【特許請求の範囲】
【請求項１】
入力された送信信号の周波数帯域をＮ個の狭帯域（Ｎは２以上の整数）に分割して、前記Ｎ個の狭帯域をそれぞれ有するＮ個の帯域信号を生成する帯域分割部と、
前記Ｎ個の帯域信号からフィードバック信号を減算してＮ個の歪み補償信号を生成するＮ個の歪み補償部と、
直流成分のみを有する入力信号から前記フィードバック信号を減算して補助歪み補償信号を生成する補助歪み補償部と、
前記Ｎ個の歪み補償信号と前記補助歪み補償信号とを合成して合成信号を生成する合成部と、
前記合成信号の電力を増幅する電力増幅部と、
前記電力増幅部の出力信号の一部を分岐させる分岐部と、
前記分岐部で分岐された当該一部の電力を減衰させて前記フィードバック信号を生成し、前記フィードバック信号を前記Ｎ個の歪み補償部に供給する減衰部と
を備えることを特徴とする電力増幅回路。
【請求項２】
請求項１記載の電力増幅回路であって、
前記Ｎ個の歪み補償部の各歪み補償部は、
前記フィードバック信号を直交復調して復調信号を生成する直交復調部と、
前記Ｎ個の帯域信号のうち当該各歪み補償部に入力された帯域信号から前記復調信号を減算して差信号を出力する減算部と、
前記差信号の周波数帯域を制限する帯域制限部と、
前記帯域制限部の出力信号を直交変調して変調信号を生成する直交変調部と
を含むことを特徴とする電力増幅回路。
【請求項３】
請求項１記載の電力増幅回路であって、
前記補助歪み補償部は、
前記フィードバック信号を直交復調して復調信号を生成する直交復調部と、
前記入力信号から前記復調信号を減算して差信号を出力する減算部と、
前記差信号の周波数帯域を制限する帯域制限部と、
前記帯域制限部の出力信号を直交変調して変調信号を生成する直交変調部と
を含むことを特徴とする電力増幅回路。
【請求項４】
請求項１記載の電力増幅回路と、
前記電力増幅部の出力信号に基づいて無線信号を送信するアンテナ部と
を備えることを特徴とする無線送信装置。
【発明の詳細な説明】
【技術分野】
【０００１】
本発明は、電力増幅器の非線形な入出力特性（以下「非線形特性」という。）を補償する回路に関し、特に、無線通信技術において使用される電力増幅器の非線形特性を補償する回路に関するものである。
【背景技術】
【０００２】
無線通信機の構成要素である電力増幅器（Ｐｏｗｅｒ  Ａｍｐｌｉｆｉｅｒ，ＰＡ）は、送信信号の電力を増幅してアンテナ素子へ出力する機能を有している。この種の電力増幅器が非線形特性を示す領域で動作するとき、その電力効率（以下、単に「効率」ともいう。）は高くなる反面、当該電力増幅器の非線形特性により送信信号に歪み成分が加わることから信号品質が劣化するという問題がある。そこで、電力増幅器で発生した当該歪み成分を補償する歪み補償技術が広く採用されている。【０００３】
歪み補償技術の１つとしては、カルテシアン・フィードバック・ループ（Ｃａｒｔｅｓｉａｎ  ｆｅｅｄｂａｃｋ  ｌｏｏｐ）が知られている。カルテシアン・フィードバック・ループを有する電力増幅回路は、入力ベースバンド信号の同相成分（Ｉ成分）及び直交成分（Ｑ成分）をアナログ帰還信号の同相成分及び直交成分にそれぞれ加算するアナログ加算器と、このアナログ加算器の出力を直交変調して変調信号を生成する直交変調器と、当該変調信号の電力を増幅する電力増幅器と、この電力増幅器の出力信号から取り出された一部の信号をアナログ帰還信号として負帰還させるフィードバック経路と、そのアナログ帰還信号を直交復調して当該アナログ帰還信号の同相成分及び直交成分を生成する直交復調器とを備えている。この電力増幅回路では、アナログ加算器、直交変調器、電力増幅器、フィードバック経路及び直交復調器がループ回路を構成する。アナログ帰還信号は電力増幅器で発生した歪み成分を含むので、アナログ加算器において当該アナログ帰還信号の同相成分及び直交成分が入力ベースバンド信号の同相成分及び直交成分にそれぞれ加算されることで、電力増幅器の非線形特性を補償することができる。このようなカルテシアン・フィードバック・ループを有する電力増幅回路は、たとえば、特許文献１（国際公開第２０１４／１１２３８２号）に開示されている。
【先行技術文献】
【特許文献】
【０００４】
【特許文献１】国際公開第２０１４／１１２３８２号（たとえば、段落０００５〜００２１，図１０及び図１２）
【発明の概要】
【発明が解決しようとする課題】
【０００５】
上記した従来のカルテシアン・フィードバック・ループの場合、ループ回路は、電力増幅器で発生する歪み成分を打ち消すように構成されており、高い歪み補償効果を得ることができる。しかしながら、その高い歪み補償効果は、周波数帯域が狭い場合に限られるという課題がある。すなわち、ループ回路における信号の遅延時間が、電力増幅器で生ずる群遅延などの要因により長くなると、周波数が高い領域において発振などの不安定な動作が起きてしまう。上記した従来のカルテシアン・フィードバック・ループでは、そのような不安定な動作を回避するため、電力増幅器の非線形特性を補償することができる周波数帯域（以下、「歪み補償帯域」ともいう。）を狭くせざるを得ないため、カルテシアン・フィードバック・ループを広帯域な信号に適用することが難しかった。【０００６】
上記に鑑みて本発明の目的は、高い歪み補償効果を確保しつつ歪み補償帯域を広帯域化することができる電力増幅回路及び無線送信装置を提供することである。
【課題を解決するための手段】
【０００７】
本発明の一態様に係る電力増幅回路は、入力された送信信号の周波数帯域をＮ個の狭帯域（Ｎは２以上の整数）に分割して、前記Ｎ個の狭帯域をそれぞれ有するＮ個の帯域信号を生成する帯域分割部と、前記Ｎ個の帯域信号からフィードバック信号を減算してＮ個の歪み補償信号を生成するＮ個の歪み補償部と、直流成分のみを有する入力信号から前記フィードバック信号を減算して補助歪み補償信号を生成する補助歪み補償部と、前記Ｎ個の歪み補償信号と前記補助歪み補償信号とを合成して合成信号を生成する合成部と、前記合成信号の電力を増幅する電力増幅部と、前記電力増幅部の出力信号の一部を分岐させる分岐部と、前記分岐部で分岐された当該一部の電力を減衰させて前記フィードバック信号を生成し、前記フィードバック信号を前記Ｎ個の歪み補償部に供給する減衰部とを備えることを特徴とする。
【発明の効果】
【０００８】
本発明によれば、歪み補償部１個あたりの補償帯域幅が狭い場合であっても、電力増幅回路全体の補償帯域幅を広帯域化することができ、広帯域な信号に対して高い歪み補償効果を得ることができる。
【図面の簡単な説明】
【０００９】
【図１】本発明に係る実施の形態１の無線送信装置の概略構成を示すブロック図である。
【図２】実施の形態１の無線送信装置における歪み補償部の概略構成を示すブロック図である。
【図３】図３Ａ〜図３Ｃは、パワースペクトルの例を示す図である。
【図４】実施の形態１における電力増幅部の出力信号のパワースペクトルの一例を示す図である。
【図５】本発明に係る実施の形態２の無線送信装置の概略構成を示すブロック図である。
【図６】実施の形態２の無線送信装置における補助歪み補償部の概略構成を示すブロック図である。
【図７】実施の形態２における電力増幅部の出力信号のパワースペクトルの一例を示す図である。
【発明を実施するための形態】
【００１０】
以下、図面を参照しつつ、本発明に係る種々の実施の形態について詳細に説明する。なお、図面全体において同一符号を付された構成要素は、同一構成及び同一機能を有するものとする。
【００１１】
実施の形態１．
図１は、本発明に係る実施の形態１の無線送信装置１の概略構成を示すブロック図である。この無線送信装置１は、図１に示されるように、同相信号（Ｉ信号）及び直交信号（Ｑ信号）からなる送信信号（ベースバンド信号）ＢＳを出力する信号生成部１０と、この信号生成部１０から入力された送信信号ＢＳの周波数帯域をＮ個の狭帯域Δ１〜ΔＮ（Ｎは２以上の整数）に分割してこれら狭帯域Δ１〜ΔＮをそれぞれ有する帯域信号Ｘ１〜ＸＮを生成する帯域分割部１１と、これら帯域信号Ｘ１〜ＸＮに対してフィードバック信号ＦＳを用いた歪み補償処理を実行して歪み補償信号Ｙ１〜ＹＮを生成する歪み補償部１２１〜１２Ｎと、歪み補償信号Ｙ１〜ＹＮの電力を合成して合成信号ＣＳを生成する合成部１４と、合成信号ＣＳの電力を増幅する電力増幅部１５と、電力増幅部１５の出力信号の一部を分岐させる方向性結合器からなるカプラ１６と、カプラ１６で分岐された出力信号の一部の電力を減衰させてフィードバック信号ＦＳを生成する減衰部１７と、電力増幅部１５の出力信号に基づいて無線信号を送信するアンテナ部１９とを備えて構成されている。
【００１２】
本実施の形態の電力増幅回路は、帯域分割部１１、歪み補償部１２１〜１２Ｎ，１２ｎ、合成部１４、電力増幅部１５、カプラ１６及び減衰部１７によって構成される。電力増幅部１５及び減衰部１７は、たとえば、電界効果トランジスタ（ＦＥＴ）またはバイポーラトランジスタで構成可能である。カプラ１６は、たとえば、公知の方向性結合器で構成可能である。また、信号生成部１０、帯域分割部１１、歪み補償部１２１〜１２Ｎ及び合成部１４は、たとえば、ＦＰＧＡ（Ｆｉｅｌｄ  Ｐｒｏｇｒａｍｍａｂｌｅ  Ｇａｔｅ  Ａｒｒａｙ）またはＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの半導体集積回路で構成されていればよい。
【００１３】
図２は、歪み補償部１２１〜１２Ｎのうちｎ番目の歪み補償部１２ｎの概略構成を示すブロック図である。ここで、番号ｎは、１〜Ｎのうちの任意の整数である。図２に示されるように、歪み補償部１２ｎは、減算部２１ｎ、帯域制限部２２ｎ、直交変調部２３ｎ及び直交復調部２４ｎを有している。
【００１４】
直交復調部２４ｎは、減衰部１７から入力された無線周波数（ＲＦ）帯域のフィードバック信号ＦＳを入力とし、このフィードバック信号ＦＳに対し、局部発振源（図示せず。）から供給された局部発振信号を用いた直交復調を実行してＩ信号及びＱ信号からなる復調信号ＤＳを生成する。減算部２１ｎは、帯域分割部１１から入力された帯域信号Ｘｎから復調信号ＤＳを減算することにより、帯域信号Ｘｎと復調信号ＤＳとの差を示す差信号を生成し、この差信号を帯域制限部２２ｎに供給する。
【００１５】
帯域制限部２２ｎは、減算部２１ｎから入力された差信号の周波数帯域を所定の周波数帯域に制限する帯域制限フィルタである。直交変調部２３ｎは、帯域制限部２２ｎの出力信号に対し、局部発振源（図示せず。）から供給された局部発振信号を用いた直交変調を実行してＲＦ帯域の歪み補償信号Ｙｎを生成し、この歪み補償信号Ｙｎを合成部１４に供給する。
【００１６】
次に、上記無線送信装置１の構成例について説明する。以下の構成例では、歪み補償部１２１〜１２Ｎの個数Ｎが２個であり、歪み補償部１２１，１２２の各々の歪み補償帯域幅は、帯域制限部２２１，２２２により、３ＢＷ（単位：Ｈｚ）に制限されているものとする。また、送信信号ＢＳは、図３Ａのパワースペクトルに示されるように、−ＢＷ（Ｈｚ）から＋ＢＷ（Ｈｚ）までの周波数成分を有する複素ベースバンド信号（Ｉ信号及びＱ信号からなるベースバンド信号）であるものとする。送信信号ＢＳの帯域幅（以下「信号帯域幅」という。）は、２ＢＷである。
【００１７】
このとき、帯域分割部１１は、送信信号ＢＳから−ＢＷ（Ｈｚ）から０Ｈｚまでの帯域の信号成分を抽出し、当該抽出された信号成分を、図３Ｂのパワースペクトルに示されるようにＢＷ／２（Ｈｚ）から３ＢＷ／２（Ｈｚ）までの狭帯域Δ１を有する複素ベースバンド信号である帯域信号Ｘ１に周波数変換する。同時に、帯域分割部１１は、送信信号ＢＳから０Ｈｚから＋ＢＷ（Ｈｚ）までの信号成分を抽出し、当該抽出された信号成分を、図３Ｃのパワースペクトルに示されるように、−３ＢＷ／２（Ｈｚ）から−ＢＷ／２（Ｈｚ）までの狭帯域Δ２を有する複素ベースバンド信号である帯域信号Ｘ２に周波数変換する。
【００１８】
歪み補償部１２１では、減算部２１１が、帯域信号Ｘ１から復調信号ＤＳを減算することで、電力増幅部１５で発生した歪み成分が抑制された差信号を生成する。直交変調部２３１は、減算部２１１から帯域制限部２２１を介して入力された差信号を、中心周波数Ｆ１（単位：Ｈｚ）を有する歪み補償信号Ｙ１に周波数変換する。この歪み補償信号Ｙ１は、合成部１４に供給される。
【００１９】
一方、歪み補償部１２２では、減算部２１２が、帯域信号Ｘ２から復調信号ＤＳを減算することで、電力増幅部１５で発生した歪み成分が抑制された差信号を生成する。直交変調部２３２は、減算部２１２から帯域制限部２２２を介して入力された差信号を、中心周波数Ｆ２（単位：Ｈｚ）を有する歪み補償信号Ｙ２に周波数変換する。この歪み補償信号Ｙ２は、合成部１４に供給される。
【００２０】
合成部１４は、歪み補償部１２１，１２２から入力された歪み補償信号Ｙ１，Ｙ２の電力を合成して合成信号ＣＳを生成する。電力増幅部１５は、合成信号ＣＳの電力を増幅する。今、電力増幅部１５の出力信号のうち中心周波数Ｆ１を中心とした±３ＢＷ／２（Ｈｚ）の周波数範囲内（すなわち、Ｆ１−３ＢＷ／２〜Ｆ１＋３ＢＷ／２の周波数範囲内）の信号成分をＺ１とし、電力増幅部１５の増幅率をｇとし、減衰部１７の減衰率をβとし、電力増幅部１５で発生した歪み成分のうち、中心周波数Ｆ１を中心とした±３ＢＷ／２（Ｈｚ）の周波数範囲に対応する歪み成分をＮ１とし、直交変調部２３１及び直交復調部２４１の増幅率をそれぞれ１であると仮定する。このとき、信号成分Ｚ１は、次式（１）で表現される。
Ｚ１＝｛ｇ／（１＋ｇβ）｝・Ｘ１＋｛１／（１＋ｇβ）｝・Ｎ１  （１）
【００２１】
増幅率ｇと減衰率βとの積（＝ｇβ）が１よりも大きい場合、信号成分Ｚ１は、近似的に次式（２）で表現され得る。
Ｚ１＝｛１／β｝・Ｘ１＋｛１／（ｇβ）｝・Ｎ１            （２）
【００２２】
式（２）によれば、電力増幅部１５で発生する歪み成分Ｎ１は、増幅率ｇと減衰率βとの積に応じて小さくなることが分かる。この場合、歪み成分Ｎ１が小さくなる周波数範囲は、帯域制限部２２１により制限された帯域幅３ＢＷ（Ｈｚ）に相当する範囲であるため、中心周波数Ｆ１を中心とする±３ＢＷ／２（Ｈｚ）の周波数範囲における歪み成分Ｎ１が抑圧される。
【００２３】
一方、電力増幅部１５の出力信号のうち中心周波数Ｆ２を中心とした±３ＢＷ／２（Ｈｚ）の周波数範囲内（すなわち、Ｆ２−３ＢＷ／２〜Ｆ２＋３ＢＷ／２の周波数範囲内）の信号成分をＺ２とし、電力増幅部１５の増幅率をｇとし、減衰部１７の減衰率をβとし、電力増幅部１５で発生した歪み成分のうち、中心周波数Ｆ２を中心とした±３ＢＷ／２（Ｈｚ）の周波数範囲に対応する歪み成分をＮ２とし、直交変調部２３１及び直交復調部２４１の増幅率をそれぞれ１であると仮定する。中心周波数Ｆ２は、次式（３）に示すように設定されるものとする。
Ｆ２＝Ｆ１＋３ＢＷ                                （３）
【００２４】
このとき、信号成分Ｚ２は、次式（４）で表現される。
Ｚ２＝｛ｇ／（１＋ｇβ）｝・Ｘ２＋｛１／（１＋ｇβ）｝・Ｎ２  （４）
【００２５】
増幅率ｇと減衰率βとの積（＝ｇβ）が１よりも大きい場合、信号成分Ｚ２は、近似的に次式（５）で表現され得る。
Ｚ２＝｛１／β｝・Ｘ２＋｛１／（ｇβ）｝・Ｎ２      （５）
【００２６】
式（５）によれば、電力増幅部１５で発生する歪み成分Ｎ２は、増幅率ｇと減衰率βとの積に応じて小さくなることが分かる。この場合、歪み成分Ｎ２が小さくなる周波数範囲は、帯域制限部２２２により制限された帯域幅３ＢＷ（Ｈｚ）に相当する範囲であるため、中心周波数Ｆ２を中心とする±３ＢＷ／２（Ｈｚ）の周波数範囲における歪み成分Ｎ２が抑圧される。
【００２７】
電力増幅部１５の出力信号は、信号成分Ｚ１，Ｚ２の合成により得られる信号と等価である。よって、図４のパワースペクトルに示されるように、歪み補償部１２１，１２２により歪み成分Ｎ１，Ｎ２が抑圧された信号の周波数範囲ΔＦ０は、中心周波数Ｆ１を中心とする±３ＢＷ／２（Ｈｚ）の周波数範囲ΔＦ１と、中心周波数Ｆ２を中心とする±３ＢＷ／２（Ｈｚ）の周波数範囲ΔＦ２とで構成される範囲である。すなわち、周波数範囲ΔＦ０は、Ｆ１−３ＢＷ／２（Ｈｚ）からＦ２＋３ＢＷ／２（Ｈｚ）までの範囲となる。したがって、本実施の形態は、信号帯域幅２ＢＷ（Ｈｚ）に対して３倍の帯域幅６ＢＷ（Ｈｚ）の歪みを補償することが可能である。
【００２８】
以上に説明したように実施の形態１の電力増幅回路は、送信信号ＢＳからＮ個の帯域信号Ｘ１〜ＸＮを並列に生成する帯域分割部１１と、これら帯域信号Ｘ１〜ＸＮに対してフィードバック信号ＦＳを用いた歪み補償処理を実行して歪み補償信号Ｙ１〜ＹＮを生成する歪み補償部１２１〜１２Ｎと、歪み補償信号Ｙ１〜ＹＮの電力を合成して合成信号ＣＳを生成する合成部１４と、合成信号ＣＳの電力を増幅する電力増幅部１５とを備えているので、歪み補償部１２ｎ１個あたりの補償帯域幅が狭くても、電力増幅回路全体の補償帯域幅を広帯域化することが可能である。したがって、従来技術と比べると、本実施の形態は、広帯域な信号に対しても十分な歪み補償効果を得ることが可能となる。
【００２９】
実施の形態２．
次に、本発明に係る実施の形態２について説明する。図５は、本発明に係る実施の形態２の無線送信装置１Ａの概略構成を示すブロック図である。この無線送信装置１Ａは、上記実施の形態１の無線送信装置１と同様に、信号生成部１０、帯域分割部１１、歪み補償部１２１〜１２Ｎ、電力増幅部１５、カプラ１６、減衰部１７及びアンテナ部１９を備えている。本実施の形態の無線送信装置１Ａは、直流成分のみを有する入力信号ｋ１，ｋ２に対してフィードバック信号ＦＳを用いた歪み補償処理を実行して補助歪み補償信号Ｓ１，Ｓ２を生成する補助歪み補償部１３１，１３２と、補助歪み補償信号Ｓ１，Ｓ２及び歪み補償信号Ｙ１〜ＹＮの電力を合成して合成信号ＣＳを生成する合成部１４Ａとを備えて構成されている。
【００３０】
本実施の形態の電力増幅回路は、帯域分割部１１、歪み補償部１２１〜１２Ｎ，１２ｎ、補助歪み補償部１３１，１３２、合成部１４Ａ、電力増幅部１５、カプラ１６及び減衰部１７によって構成される。信号生成部１０、帯域分割部１１、補助歪み補償部１３１，１３２、歪み補償部１２１〜１２Ｎ及び合成部１４Ａは、たとえば、ＦＰＧＡまたはＡＳＩＣなどの半導体集積回路で構成されていればよい。
【００３１】
図６は、補助歪み補償部１３１，１３２のうちｍ番目の補助歪み補償部１３ｍの概略構成を示すブロック図である。ここで、番号ｍは、１，２のうちのいずれか一方である。図６に示されるように、補助歪み補償部１３ｍは、減算部３１ｍ、帯域制限部３２ｍ、直交変調部３３ｍ及び直交復調部３４ｍを有している。
【００３２】
この補助歪み補償部１３ｍは、帯域信号Ｘｎに代えて、直流成分のみを有する入力信号ｋｍが入力される点を除いて、上記した実施の形態１の歪み補償部１２ｎと同じ構成を有する。すなわち、直交復調部３４１は、減衰部１７から入力されたフィードバック信号ＦＳに対し、局部発振源（図示せず。）から供給された局部発振信号を用いた直交復調を実行してＩ信号及びＱ信号からなる復調信号ＤＳを生成する。減算部３１ｍは、直流成分のみを有する入力信号ｋｍから復調信号ＤＳを減算することにより、入力信号ｋｍと復調信号ＤＳとの差を示す差信号を生成し、この差信号を帯域制限部３２ｍに供給する。帯域制限部３２ｍは、減算部３１ｍから入力された差信号の周波数帯域を所定の周波数帯域に制限する帯域制限フィルタである。
【００３３】
直交変調部３３ｍは、帯域制限部３２ｍの出力信号に対し、局部発振源（図示せず。）から供給された局部発振信号を用いた直交変調を実行してＲＦ帯域の補助歪み補償信号Ｙｍを生成し、この補助歪み補償信号Ｙｍを合成部１４Ａに供給することとなる。ここで、一方の補助歪み補償部１３１の直交変調部３３１は、減算部３１１から帯域制限部３２１を介して入力された差信号を、中心周波数Ｆ３（単位：Ｈｚ）を有する補助歪み補償信号Ｓ１に周波数変換することができる。他方の補助歪み補償部１３２の直交変調部３３２は、減算部３１２から帯域制限部３２２を介して入力された差信号を、中心周波数Ｆ４（単位：Ｈｚ）を有する補助歪み補償信号Ｓ２に周波数変換することができる。
【００３４】
上記した実施の形態１の構成例（歪み補償部１２１，１２２が２個のみ）と同様の構成例が採用される場合を考える。中心周波数Ｆ３，Ｆ４は、次式（６），（７）に示すように設定されるものとする。
Ｆ３＝Ｆ１−３ＢＷ            （６）
Ｆ４＝Ｆ２＋３ＢＷ            （７）
【００３５】
上式（２），（４）において、仮に、帯域信号Ｘ１，Ｘ２が零信号である場合でも、上式（２），（４）の右辺第２項の存在により、歪み成分Ｎ１，Ｎ２が抑圧されることが分かる。本実施の形態では、一方の補助歪み補償部１３１は、Ｆ３−３ＢＷ／２（Ｈｚ）からＦ３＋３ＢＷ／２（Ｈｚ）までの周波数範囲ΔＦ３の歪み成分を抑圧することができる。他方の補助歪み補償部１３２も、Ｆ４−３ＢＷ／２（Ｈｚ）からＦ４＋３ＢＷ／２（Ｈｚ）までの周波数範囲ΔＦ４の歪み成分を抑圧することが可能である。
【００３６】
したがって、本実施の形態の場合、図７のパワースペクトルに示されるように、歪み補償部１２１，１２２及び補助歪み補償部１３１，１３２により歪み成分が抑圧される周波数範囲ΔＦ０は、中心周波数Ｆ１を中心とする±３ＢＷ／２（Ｈｚ）の周波数範囲ΔＦ１と、中心周波数Ｆ２を中心とする±３ＢＷ／２（Ｈｚ）の周波数範囲ΔＦ２と、中心周波数Ｆ３を中心とする±３ＢＷ／２（Ｈｚ）の周波数範囲ΔＦ３と、中心周波数Ｆ４を中心とする±３ＢＷ／２（Ｈｚ）の周波数範囲ΔＦ４とで構成される範囲である。すなわち、周波数範囲ΔＦ０は、Ｆ３−３ＢＷ／２（Ｈｚ）からＦ４＋３ＢＷ／２（Ｈｚ）までの範囲となる。したがって、本実施の形態は、信号帯域幅２ＢＷ（Ｈｚ）に対して６倍の帯域幅１２ＢＷ（Ｈｚ）の歪みを補償することが可能である。
【００３７】
以上に説明したように実施の形態２の電力増幅回路は、上記実施の形態１の電力増幅回路と同様に、歪み補償部１２ｎ１個あたりの補償帯域幅が狭くても、電力増幅回路全体の補償帯域幅を広帯域化することが可能である。本実施の形態の電力増幅回路は、更に補助歪み補償部１３１，１３２を備えるため、実施の形態１の場合と比べると、更に電力増幅回路全体の補償帯域幅を広帯域化することができる。
【００３８】
以上、図面を参照して本発明に係る種々の実施の形態について述べたが、これら実施の形態は本発明の例示であり、これら実施の形態以外の様々な形態を採用することもできる。なお、本発明の範囲内において、上記実施の形態１，２の自由な組み合わせ、各実施の形態の任意の構成要素の変形、または各実施の形態の任意の構成要素の省略が可能である。
【産業上の利用可能性】
【００３９】
本発明に係る電力増幅回路は、高い歪み補償効果を確保しつつ歪み補償帯域を広帯域化することができることから、電力増幅器を使用する無線通信技術において好適に使用され得る。
【符号の説明】
【００４０】
１，１Ａ  無線送信装置、１０  信号生成部、１１  帯域分割部、１２１〜１２Ｎ，１２ｎ  歪み補償部、１３１，１３２，１３ｍ  補助歪み補償部、１４，１４Ａ  合成部、１５  電力増幅部、１６  カプラ、１９  アンテナ部、２１ｎ  減算部、２２ｎ  帯域制限部、２３ｎ  直交変調部、２４ｎ  直交復調部、３１ｍ  減算部、３２ｍ  帯域制限部、３３ｍ  直交変調部、３４ｍ  直交復調部。
【要約】
電力増幅回路は、送信信号（ＢＳ）からＮ個の帯域信号（Ｘ１〜ＸＮ）を生成する帯域分割部（１１）と、帯域信号（Ｘ１〜ＸＮ）からフィードバック信号（ＦＳ）を減算してＮ個の歪み補償信号（Ｙ１〜ＹＮ）を生成するＮ個の歪み補償部（１２１〜１２Ｎ）と、歪み補償信号（Ｙ１〜ＹＮ）を合成して合成信号（ＣＳ）を生成する合成部（１４）と、合成信号（ＣＳ）の電力を増幅する電力増幅部（１５）と、電力増幅部（１５）の出力信号の一部を分岐させる分岐部（１６）と、分岐部（１６）で分岐された当該一部の電力を減衰させてフィードバック信号（ＦＳ）を生成する減衰部（１７）とを備える。【図１】
0006444572.tif 000002
【図２】
0006444572.tif 000003
【図３】
0006444572.tif 000004
【図４】
0006444572.tif 000005
【図５】
0006444572.tif 000006
【図６】
0006444572.tif 000007
【図７】
0006444572.tif 000008